(57)【特許請求の範囲】
【請求項１】
機能パネルと支持背面レールとからなる電気器具支持装置であって、上記機能パネルには表裏貫通するスリットが設けられ、上記支持背面レールは断面コ字型で、両端片には係合片が形成され、各々内方へ突出する係合片間が支持間隙を形成するように長手方向に沿って突出して設けられ、上記機能パネル裏面のスリットに上記支持背面レールの支持間隙を合致させて上記機能パネルと上記支持背面レールとを固定し、上記支持背面レール内に支持ナットを摺動自在に保持せしめるとともに、上記機能パネルの表面側より上記スリットを介して電気器具壁掛け用金具をボルトにより支持ナットに係合固定してなり、上記機能パネル裏面のスリットに上記支持背面レールの支持間隙を合致させることにより、上記機能パネルの裏面に上下長手方向にして設けられる上記支持背面レールの上記係合片が上記機能パネルの裏面のスリット周縁部分に固定された状態で、上記支持ナットに上記ボルトを螺入しネジ固定することによって、上記電気器具壁掛け用金具が上記機能パネルの表面に直に接合して取り付けられるようになしたことを特徴とする電気器具支持装置。
【請求項２】
上記支持ナットには、上記機能パネルのスリットに摺動自在に遊嵌合する一対のガイド片が突設されてなる請求項１に記載の電気器具支持装置。
【請求項３】
機能パネルと支持背面レールとからなる電気器具支持装置であって、上記機能パネルには表裏貫通するスリットが設けられ、上記支持背面レールは断面コ字型で、両端片には係合片が形成され、各々内方へ突出する係合片間が支持間隙を形成するように長手方向に沿って突出して設けられ、上記機能パネル裏面のスリットに上記支持背面レールの支持間隙を合致させて上記機能パネルと上記支持背面レールとを固定し、上記支持背面レール内に支持ナットを摺動自在に保持せしめるとともに、上記機能パネルの表面側より上記スリットを介して第１断面Ｃ型レールをボルトにより支持ナットに係合固定することにより、上記機能パネル表面に第１断面Ｃ型レールを上記支持背面レールに直交して上下移動自在に設け、上記第１断面Ｃ型レール内に嵌合、摺動、引出し自在に第２断面Ｃ型レールを設け、該第２断面Ｃ型レール内に壁掛け金具固定用ナットを摺動自在に保持せしめ、該壁掛け金具固定用ナットに電気器具壁掛け用金具をその付属ボルトにより係合固定してなり、上記機能パネル裏面のスリットに上記支持背面レールの支持間隙を合致させることにより、上記機能パネルの裏面に上下長手方向にして設けられる上記支持背面レールの上記係合片
が上記機能パネルの裏面のスリット周縁部分に固定された状態で、上記支持ナットに上記ボルトを螺入しネジ固定することによって、上記第１断面Ｃ型レールが上記機能パネルの表面に直に接合して取り付けられるようになしたことを特徴とする電気器具支持装置。
【発明の詳細な説明】
【技術分野】
【０００１】
本願発明は電気器具支持装置に関するものであり、詳しくは、壁掛け型テレビやエアコンの室内ユニット等の電気器具を壁面に支持するための支持装置に関するものである。
【背景技術】
【０００２】
従来、壁掛け型テレビの薄型ディスプレイを壁面に支持するための装置としては、フックユニットとベースブラケットとからなる支持装置が知られている。
【０００３】
例えば、特開２００８−５２１３３号公報には、壁面に固定される壁面固定部と、位置決め用の凹部又は凸部と、フック固定部を有する複数のベースブラケットと、薄型ディスプレイの背面に固定されるディスプレイ固定部と、前記ベースブラケットのフック固定部に固定されるフック部と、前記ベースブラケットの位置決め用の凹部又は凸部と嵌合する凹部又は凸部とを備えたフックユニットとで構成してなる薄型ディスプレイの壁掛け装置が開示されている。
【０００４】
そして、その効果としてフックユニットとベースブラケットとが確実に組み付けられ、小型軽量化やコストの低減が図られると記載されている。
【先行技術文献】
【特許文献】
【０００５】
【特許文献１】特開２００８−５２１３３号公報
【発明の概要】
【発明が解決しようとする課題】
【０００６】
しかしながら、上記特許文献１に記載の技術においては、特許文献１の図１に記載のように、フックユニットとベースブラケットのＸ方向とＹ方向の相対位置を凹凸形状の嵌合によって位置決めするため、確実に組み付けられるものの、位置決めが段階的にしか行えず、連続的に、かつ微調節可能に薄型ディスプレイの背面を壁面に支持できないという問題がある。
【０００７】
本願発明は上記背景技術に鑑みてなしたものであり、その目的は、連続的に、かつ微調節可能に薄型テレビのディスプレイ等の電気器具を壁に掛けて設置することができる電気器具支持装置を提供することである。
【課題を解決するための手段】
【０００８】
上記課題を解決するために、本願請求項１に記載の第１発明に係る電気器具支持装置では、機能パネルと支持背面レールとからなり、上記機能パネルには表裏貫通するスリットが設けられ、上記支持背面レールは断面コ字型で、両端片には係合片が形成され、各々内方へ突出する係合片間が支持間隙を形成するように長手方向に沿って突出して設け、上記機能パネル裏面のスリットに上記支持背面レールの支持間隙を合致させて上記機能パネルと上記支持背面レールとを固定し、上記支持背面レール内に支持ナットを摺動自在に保持せしめるとともに、上記機能パネルの表面側より上記スリットを介して電気器具壁掛け用金具をボルトにより上記支持ナットに係合固定してなり、上記機能パネル裏面のスリットに上記支持背面レールの支持間隙を合致させることにより、上記機能パネルの裏面に上下長手方向にして設けられる上記支持背面レールの上記係合片が上記機能パネルの裏面のスリット周縁部分に固定された状態で、上記支持ナットに上記ボルトを螺入しネジ固定することによって、上記電気器具壁掛け用金具が上記機能パネルの表面に直に接合して取り付けられるようになしたことを特徴としている。
【０００９】
本願請求項２に記載の発明に係る電気器具支持装置では、本願請求項１に記載の電気器具支持装置において、上記支持ナットには、上記機能パネルのスリットに摺動自在に遊嵌合する一対のガイド片が突設されてなることを特徴としている。
【００１０】
本願請求項３に記載の第２発明に係る電気器具支持装置では、機能パネルと支持背面レールとからなり、上記機能パネルには表裏貫通するスリットが設けられ、上記支持背面レールは断面コ字型で、両端片には係合片が形成され、各々内方へ突出する係合片間が支持間隙を形成するように長手方向に沿って突出して設け、上記機能パネル裏面のスリットに上記支持背面レールの支持間隙を合致させて上記機能パネルと上記支持背面レールとを固定し、上記支持背面レール内に支持ナットを摺動自在に保持せしめるとともに、上記機能パネルの表面側より上記スリットを介して第１断面Ｃ型レールをボルトにより支持ナットに係合固定することにより、上記機能パネル表面に第１断面Ｃ型レールを上記支持背面レールに直交して上下移動自在に設け、上記第１断面Ｃ型レール内に嵌合、摺動、引出し自在に第２断面Ｃ型レールを設け、該第２断面Ｃ型レール内に壁掛け金具固定用ナットを摺動自在に保持せしめ、該壁掛け金具固定用ナットに電気器具壁掛け用金具をその付属ボルトにより係合固定してなり、上記機能パネル裏面のスリットに上記支持背面レールの支持間隙を合致させることにより、上記機能パネルの裏面に上下長手方向にして設けられる上記支持背面レールの上記係合片が上記機能パネルの裏面のスリット周縁部分に固定された状態で、上記支持ナットに上記ボルトを螺入しネジ固定することによって、上記第１断面Ｃ型レールが上記機能パネルの表面に直に接合して取り付けられるようになしたことを特徴としている。
【発明の効果】
【００１１】
本願請求項１記載の第１発明に係る電気器具支持装置においては、表裏貫通するスリットが設けられた機能パネルと断面コ字型で、両端片には係合片が付設された支持背面レールとから構成され、この支持背面レールは各々内方へ突出する係合片どうしが支持間隙を形成して長手方向に突設されるとともに、上記機能パネル裏面のスリットに上記支持背面レールの支持間隙を合致させて上記機能パネルと上記支持背面レールとを固定し、上記支持背面レール内に支持ナットを摺動自在に保持させているため、上記機能パネルの表面側より上記スリットを介して電気器具用壁掛け金具を付属のボルトにより支持ナットに簡単にネジ固定することができる。
【００１２】
また、電気器具用壁掛け金具の固定位置を上下に無段階でスライド自在に、かつ微調節可能に位置決めすることができるため、例えば、壁掛け型テレビを容易に電気器具用壁掛け金具に組み付けて最も見易い高さに設置することができる。
【００１３】
本願請求項２記載の発明に係る電気器具支持装置においては、上記支持ナットには、上記機能パネルのスリットに摺動自在に遊嵌合する一対のガイド片が突設されてなるため、このガイド片がスリット内に摺動自在に納まり、ガタつくことなくしっかりと支持ナットを支持背面レール内に装着することができる。
【００１４】
本願請求項３記載の第２発明に係る電気器具支持装置においては、表裏貫通するスリットが設けられた機能パネルと断面コ字型で、両端片には係合片が付設された支持背面レールとから構成され、この支持背面レールは各々内方へ突出する係合片どうしが支持間隙を形成して長手方向に突設されるとともに、上記機能パネル裏面のスリットに上記支持背面レールの支持間隙を合致させて上記機能パネルと上記支持背面レールとを固定し、次いで、上記機能パネル表面に第１断面Ｃ型レールを上記支持背面レールに直交して上下移動自在に設け、この第１断面Ｃ型レール内に嵌合、摺動、引出し自在に第２断面Ｃ型レールを設け、該第２断面Ｃ型レール内に壁掛け金具固定用ナットを摺動自在に保持させているため、この壁掛け金具固定用ナットに電気器具壁掛け用金具を付属のボルトにより簡単にネジ固定することができる。
【００１５】
また、電気器具用壁掛け金具の固定位置を上下、左右に無段階でスライド自在に、かつ微調節可能に位置決めすることができるため、例えばテレビを買い替えたとき、異なったメーカーの壁掛け型テレビや種々の画面サイズの壁掛け型テレビの固定位置に対応して最適位置で組み付けることができる。
【００１６】
さらに、生活スタイルの変化等によって同じ室内で壁掛け型テレビの視聴位置が変わった場合でも、本願発明の機能パネルを所望の位置に移動するだけで電気器具壁掛け用金具を取り付けることが可能となり、最適位置に壁掛け型テレビを組み付けることができる。
【００１７】
そして、従来、壁面に電気器具壁掛け用金具を直接ネジ固定していた場合に、壁掛け型テレビの位置替えに伴って生じるネジ孔跡の補修、例えば壁紙の張り替え等の手間をなくすことができる。
【図面の簡単な説明】
【００１８】
【図１】（ａ）は本願第１発明の電気器具支持装置を構成する機能パネルの表面を示す正面図、（ｂ）は本願第１発明の電気器具支持装置を構成する機能パネルの裏面を示す正面図。
【図２】本願第１発明の電気器具支持装置を構成する支持背面レールを機能パネルの裏面に取り付けた状態を示す部分断面説明図。
【図３】（ａ）は本願第１発明に係る支持ナットを上記機能パネルのスリットに摺動自在に遊嵌合する一対のガイド片を突設形成した改良した支持ナットを採用した実施形態を示すものであり、支持背面レールと該支持ナットと機能パネルとの取り付け状態を示す断面図、（ｂ）は上記改良したガイド片付きの支持ナットに金具固定アームを取り付けた形態を示す部分断面説明図。
【図４】本願第２発明に係る電気器具支持装置を示す斜視説明図。
【発明を実施するための形態】
【００１９】
以下、本願発明に係る電気器具支持装置の実施形態を、電気器具として壁掛け型テレビを用いた例について図面を参照して詳細に説明する。図１（ａ）は、本願第１発明の電気器具支持装置Ａを構成する機能パネル１の表面を示す正面図である。図１（ｂ）は上記機能パネル１の裏面を示す正面図である。
【００２０】
図１（ａ）に示すように、上記機能パネル１には、表面側と裏面側とを貫通するスリット１１が設けられている。図１（ａ）において、符号Ｔは、仮想線（二点鎖線）で表した壁掛け型テレビを示す。また、図１（ｂ）における符号２は後記する支持背面レール２を示し、符号２１は、支持背面レール２に設けられた係合片を示す。
【００２１】
図２は、上記電気器具支持装置Ａを構成する支持背面レール２を機能パネル１の裏面に取り付けた状態を示す部分断面説明図である。図２に示すように、上記支持背面レール２は断面コ字型で、その両端片には係合片２１が形成されている。
【００２２】
ここで各々内方へ突出する係合片２１と係合片２１との間には支持間隙２２が形成され、この支持間隙２２を機能パネル１の裏面のスリット１１に合致させて上記機能パネル１と支持背面レール２とを固定用ネジ３等によって固定する。このようにすることによって、支持背面レール２は、機能パネル１の裏面に上下長手方向にして設けられる。
【００２３】
ここで支持ナット４は、図２に矢印で示すように装着されて、支持背面レール２の中空部２３に上下摺動自在に保持される。そして、この支持ナット４のネジ孔４１に機能パネル１の表面側より上記スリット１１を経て図外電気器具の壁掛け用金具に付属するボルト等の固定手段を螺入してネジ固定する。
【００２４】
通常、上記支持ナット４は各支持背面レール２の中空部２３に上下２個用いられるため、合計４個の支持ナット４が２本の支持背面レール２に装着され、合計４ヶ所で図外壁掛け用金具が所望の位置に固定される。このように構成することによって、壁掛け金具の固定位置を上下に無段階でスライド自在に、かつ微調節可能に位置決めすることができる。そして所望の位置に壁掛け型テレビを組み付けることができる。
【００２５】
図３（ａ）は、改良した支持ナット４を採用した実施形態を示すものである。該改良した支持ナット４は中空形状で、上記機能パネル１のスリット１１間に摺動自在に遊嵌合する一対のガイド片４２、４２を突設形成したものであり、このガイド片４２、４２がスリット１１内に摺動自在に納まることによって、支持ナット４の支持背面レール２の中空部２３の摺動動作がガタつくことなく行われ且つしっかりと支持ナット４が支持背面レール２の中空部２３に装着される。そして支持ナット４のネジ孔４１に壁掛け用金具（図示せず）に付属するボルト等の固定手段を螺入固定する。しかる後に該壁掛け用金具に壁掛け型テレビ等（図示せず）を組み付ける（或いは係合装着する）ことによって、希望する所望の位置でテレビを視聴することができる。勿論壁掛け用金具（図示せず）を予め壁掛け型テレビ等に装着しておいてもよい。
【００２６】
図３（ｂ）は、上記図２に示した支持ナット４に電気器具装着用の金具固定アーム５を取り付けた形態を示す部分断面説明図である。該金具固定アーム５はＣ型チャンネルからなり上記支持背面レール２に対して上下方向に位置調節を行った後に該支持背面レール２に固定される。上記金具固定アーム５の底面には中空形状の固定ネジ用突起部５１が設けられている。該固定ネジ用突起部５１は金具固定アーム５の底面に、この金具固定アーム５と直交する方向へ突出するように断面コ字型材が固着されることで突設されており、該固定ネジ用突起部５１の突出した部分の頂面には金具固定アーム用ネジ５２が貫通する孔が形成されている。
【００２７】
なお、上記固定ネジ用突起部５１は金具固定アーム５の底面に、有底筒状体が固着されることで突設されてもよい。この場合、固定ネジ用突起部５１の突出した部分の頂面となる底部分には金具固定アーム用ネジ５２が貫通する孔が形成され、この孔に対応して金具固定アーム５の底面にも同金具固定アーム用ネジ５２が貫通する孔が形成されればよい。
【００２８】
そして、固定ネジ用突起部５１が機能パネル１のスリット１１及び支持背面レール２の支持間隙２２に嵌入され、固定ネジ用突起部５１内の金具固定アーム用ネジ５２を支持ナット４に形成したネジ孔４１に螺合する。このようにして金具固定アーム５と固定ネジ用突起部５１と支持ナット４とが支持背面レール２に対して上下方向に無段階で連続的に微調節された後に希望する適切な位置に固定される。
【００２９】
上記図３（ａ）に示したものにあって、上記金具固定アーム５は通常、上下方向に２本用いられるが、ガイド片４２、４２の円滑な摺動によって該金具固定アーム５はスリット１１内にガタつくことなく全体としてスムーズに移動することができ、且つ、２本の金具固定アーム５を平行に維持しながら位置決めする取り付け操作が容易になる。そして金具固定アーム用ネジ５２を上記ネジ孔４１に螺入することによって、しっかりと金具固定アーム５を機能パネル１の表面に取り付けることができる。
【００３０】
また、上記図３（ｂ）に示したものにあって、上記固定ネジ用突起部５１は、スリット１１内に納まっているため、金具固定アーム５は、機能パネル１の表面から突出することなくぴったりと接合され、壁掛け型テレビを壁に密接して組み付けることができる。そして壁から突出することなく違和感なく組み付けられたテレビを所望の位置で視聴することができる。
【００３１】
図４は本願第２発明に係る電気器具支持装置Ｂを示す斜視説明図である。図４においては、理解を容易にするために機能パネル１は仮想線（二点鎖線）で示されている。図４に示すように、上記機能パネル１の表面には、第１断面Ｃ型レール６が上記支持背面レール２に直交して上下移動自在に設けられている。
【００３２】
さらに、上記第１断面Ｃ型レール６内に第２断面Ｃ型レール７が嵌合、摺動、引出し自在に設けられるとともに、この第２断面Ｃ型レール７内に壁掛け金具固定用ナット８が左右に摺動自在に保持され、この壁掛け金具固定用ナット８に図示しない電気器具壁掛け用金具を付属のボルトによりネジ固定する。
【００３３】
このようにすることによって、上下左右に連続的に壁掛け金具固定用ナット８の位置を変えることが可能となり、例えばメーカーの異なる壁掛け型テレビや種々の画面サイズの壁掛け型テレビの固定位置に対応して所望の位置に電気器具壁掛け用金具を取り付けることができる。さらに上記電気器具壁掛け用金具に壁掛け型テレビを組み付けることによって、所望の位置でテレビを視聴することができる。
【００３４】
なお、上記実施形態は、壁掛け型テレビを例にとって説明したが、これに限られず、エアコンの室内ユニット等他の電気器具にも適用できる。このように本願発明は設計変更自在であり、特許請求の範囲を逸脱しない限り、本願発明の技術的範囲に含まれる。
【符号の説明】
【００３５】
Ａ      本願第１発明に係る電気器具支持装置
Ｂ      本願第２発明に係る電気器具支持装置
Ｔ      壁掛け型テレビ
１      機能パネル
１１    スリット
２      支持背面レール
２１    係合片
２２    支持間隙
２３    中空部
３      固定用ネジ
４      支持ナット
４１    ネジ孔
４２    ガイド片
５      金具固定アーム
５１    固定ネジ用突起部
５２    金具固定アーム用ネジ
６      第１断面Ｃ型レール
７      第２断面Ｃ型レール
８      壁掛け金具固定用ナット
【図１】
0005510304.tif 000002
【図２】
0005510304.tif 000003
【図３】
0005510304.tif 000004
【図４】
0005510304.tif 000005